【事件の表示】
　特願２０１７−１００３３８号「遊技機」拒絶査定不服審判事件〔平成３０年１２月　６日出願公開、特開２０１８−１９２１４２号、請求項の数（２）〕について、次のとおり審決する。
【結　論】
　原査定を取り消す。
　本願の発明は、特許すべきものとする。
【理　由】
第１　手続の経緯
　本願は、平成２９年５月１９日の出願であって、平成３０年６月１５日付けで拒絶の理由が通知され、同年７月２７日に意見書及び手続補正書が提出され、同年８月１３日付けで最後の拒絶の理由が通知され、同年９月３日に意見書が提出されたところ、同年９月１１日付け（送達日：同年９月１８日）で拒絶査定がなされ、それに対して、同年１０月９日に拒絶査定不服審判の請求がなされたものである。
第２　原査定の概要
　原査定（平成３０年９月１１日付け拒絶査定）の概要は次のとおりである。
　本願請求項２に係る発明は、以下の引用文献１、２に基づいて、その発明の属する技術の分野における通常の知識を有する者（以下、「当業者」という。）が容易に発明できたものであるから、特許法第２９条第２項の規定により特許を受けることができない。
引用文献等一覧
　１．特開２０１６−２０２３０２号公報
　２．特開２０１７−７９９７１号公報
第３　本願発明１、２
　本願請求項１、２に係る発明（以下、それぞれ「本願発明１」、「本願発明２」という。）は、平成３０年７月２７日付けの手続補正で補正された特許請求の範囲の請求項１、２に記載された事項により特定される以下のとおりの発明である（当審で分説のため、記号ＡからＪを付した。）。
　「【請求項１】
Ａ　判定を行う判定手段と、
Ｂ　前記判定手段による判定にて所定の結果が得られたことに基づいて遊技者に特典を付与しうる特典付与手段と、
Ｃ　演出受付が許容される受付演出を発生させる受付演出実行手段と
　を備え、
Ｄ　前記受付演出として、少なくとも第１の受付演出、第２の受付演出、及び第３の受付演出が用意されており、
Ｅ　前記第１の受付演出、前記第２の受付演出、及び前記第３の受付演出のうち、前記第２の受付演出及び前記第３の受付演出では、それら受付演出に関連してＢＧＭが非抑制態様で可聴出力されなくなる抑制受付演出として実行されうるようになっており、
Ｆ　前記第１の受付演出は、
　ＢＧＭが非抑制態様で可聴出力されているなかで発生されうるものであり、当該第１の受付演出では、演出受付が許容される状態になったこと、または演出受付が許容される状態になることを示唆する受付許容音が非抑制態様で可聴出力されうるようになっており、
Ｇ−１　前記第２の受付演出は、
　前記抑制受付演出として実行されるものであるにもかかわらず演出受付が許容される時点ではＢＧＭが非抑制態様で可聴出力されており、且つ演出受付されたことに基づいてＢＧＭを第１抑制態様にするものであり、当該第２の受付演出では、演出受付が許容される状態になったこと、または演出受付が許容される状態になることを示唆する受付許容音が非抑制態様で可聴出力されうるようになっており、
Ｈ　前記第３の受付演出は、
　非抑制態様で可聴出力されているＢＧＭが前記第１抑制態様よりも抑制度合いの高い第２抑制態様で可聴出力される状態または可聴出力されない状態になってから演出受付が許容されうるものであり、当該第３の受付演出では、演出受付が許容される状態になったこと、または演出受付が許容される状態になることを示唆する受付許容音が非抑制態様で可聴出力されうるようになっており、
Ｉ　前記第１の受付演出及び前記第２の受付演出では、前記受付許容音として同じ種別の受付許容音が可聴出力されうるようになっており、前記第３の受付演出では、前記第１の受付演出及び前記第２の受付演出のいずれにおいても用いられない種別の受付許容音が可聴出力されうる
Ｊ　ことを特徴とする遊技機。
　　【請求項２】
Ａ　判定を行う判定手段と、
Ｂ　前記判定手段による判定にて所定の結果が得られたことに基づいて遊技者に特典を付与しうる特典付与手段と、
Ｃ　演出受付が許容される受付演出を発生させる受付演出実行手段と
　を備え、
Ｄ　前記受付演出として、少なくとも第１の受付演出、第２の受付演出、及び第３の受付演出が用意されており、
Ｅ　前記第１の受付演出、前記第２の受付演出、及び前記第３の受付演出のうち、前記第２の受付演出及び前記第３の受付演出では、それら受付演出に関連してＢＧＭが非抑制態様で可聴出力されなくなる抑制受付演出として実行されうるようになっており、
Ｆ　前記第１の受付演出は、
　ＢＧＭが非抑制態様で可聴出力されているなかで発生されうるものであり、当該第１の受付演出では、演出受付が許容される状態になったこと、または演出受付が許容される状態になることを示唆する受付許容音が非抑制態様で可聴出力されうるようになっており、
Ｇ−２　前記第２の受付演出は、
　非抑制態様で可聴出力されているＢＧＭが第１抑制態様で可聴出力される状態になってから演出受付が許容されうるものであり、当該第２の受付演出では、演出受付が許容される状態になったこと、または演出受付が許容される状態になることを示唆する受付許容音が非抑制態様で可聴出力されうるようになっており、
Ｈ　前記第３の受付演出は、
　非抑制態様で可聴出力されているＢＧＭが前記第１抑制態様よりも抑制度合いの高い第２抑制態様で可聴出力される状態または可聴出力されない状態になってから演出受付が許容されうるものであり、当該第３の受付演出では、演出受付が許容される状態になったこと、または演出受付が許容される状態になることを示唆する受付許容音が非抑制態様で可聴出力されうるようになっており、
Ｉ　前記第１の受付演出及び前記第２の受付演出では、前記受付許容音として同じ種別の受付許容音が可聴出力されうるようになっており、前記第３の受付演出では、前記第１の受付演出及び前記第２の受付演出のいずれにおいても用いられない種別の受付許容音が可聴出力されうる
Ｊ　ことを特徴とする遊技機。」
第４　引用文献、引用発明等
１．引用文献１について
　原査定の拒絶の理由に引用された上記引用文献１には、図面とともに次の事項が記載されている。
　ア　「【００２６】
  ・・・さらに、図１には示していないが、
遊技機１
ＢＧＭ（バックグランドミュージック）
を出力し、
　イ　「【００１６】
  上記第１始動口１３および第２始動口１４には、遊技球の入球を検出する第１始動口検出スイッチ１３ａ（図４参照）および第２始動口検出スイッチ１４ａがそれぞれ設けられており、これら検出スイッチが遊技球の入球を検出すると、後述する大当たり遊技を実行する権利獲得の抽選（以下、「大当たりの抽選」という）が行われる。・・・
　【００２３】
　上記
画像表示装置３１は、
第１始動口１３または第２始動口１４に遊技球が入球したときには、抽選結果を遊技者に報知する演出図柄３５が変動表示される。
  演出図柄３５というのは、例えば第１図柄（左図柄）、第２図柄（右図柄）、第３図柄（中図柄）という３つの図柄（数字）をそれぞれスクロール表示するとともに、所定時間経過後に当該スクロールを停止させて、特定の図柄（数字）を配列表示するものである。・・・
　【００２７】
　遊技領域１０ａの左側下方には、後述する第１特別図柄表示装置２０、第２特別図柄表示装置２１、・・・等の表示領域２７が設けられている。
　【００２８】
　上記
第１特別図柄表示装置２０は、第１始動口１３に遊技球が入球したことを契機として行われた大当たりの抽選結果を報知するものであり
この第１特別図柄表示装置２０に大当たりの抽選結果に対応する特別図柄（点灯態様）を表示することによって、抽選結果を遊技者に報知するようにしている。
　【００２９】
　・・・
第２特別図柄表示装置２１は、第２始動口１４に遊技球が入球したことを契機として行われた大当たりの抽選結果を報知するためのもの
　　ウ　「【００３５】
＜遊技制御装置の構成＞
　次に、図４を用いて、本実施形態の遊技機１において遊技の進行を制御する遊技制御装置について説明する。
　この図４において、
主制御基板１１０
　【００３８】
　
主制御基板１１０
　・・・
　【００８２】
　なお、後述するように、
特別図柄の種類（停止図柄データ）によって、大当たり終了後の遊技状態（図９参照）、大当たり態様（図１０参照）が決定される
　・・・
　【００９４】
＜特別電動役物作動態様決定テーブル＞
　図１０は、大入賞口の開閉条件を決定する特別電動役物作動態様決定テーブルの一例を示した図である。
　図１０に示す
特別電動役物作動態様決定テーブルを参照して、特別図柄の種類（停止図柄データ）に基づいて、大入賞口の作動態様、すなわちラウンド遊技回数（Ｒ）および大入賞口の開放態様を決定する大入賞口開放態様決定テーブルが決定される。
　エ　「【０２２６】
＜特別図柄記憶判定処理＞
　図２６は、
主制御基板による特別図柄記憶判定処理
　【０２３２】
　ステップＳ２０８において、メインＣＰＵ１１１は、
変動パターン決定処理を行う。
　
変動パターン決定処理は
変動パターン決定テーブルを決定する。
　その後、特別図柄判定用乱数値、大当たり図柄用乱数値、リーチ判定用乱数値および変動パターン用乱数値を参照し、
決定した変動パターン決定テーブルに基づいて、変動パターンを決定する。
　オ　「【０１１２】
　具体的には、
変動パターン決定テーブルによって
変動パターンが決定される。
　
変動パターンは、特別図柄の変動開始時に決定され、決定された変動パターンに基づいて変動パターン指定コマンドが生成される。この変動パターン指定コマンドは、出力制御処理において主制御基板１１０から演出制御基板１２０へと送信される。
　【０１１３】
  なお、本実施形態の遊技機１では、
大当たりまたは小当たりのときには必ずリーチを行うように構成している
　【０３７５】
＜変動演出パターン決定処理＞
　図４２は、演出制御基板による変動演出パターン決定処理を説明するフローチャートである。
　図４２に示す変動演出パターン決定処理は、
演出制御基板１２０の受信バッファに、主制御基板１１０から送信された変動パターン指定コマンドが格納されると、サブＣＰＵ１２１が実行する。この変動演出パターン決定処理は、特別図柄の変動表示中に、画像表示装置３１をはじめとする種々の演出用の装置をどのように制御するかを示す変動演出パターンを決定するものである。
  ・・・
　【０３７６】
　次に、ステップＳ８０３において、サブＣＰＵ１２１は、上記ステップＳ８０２でセットされた変動演出パターン決定テーブルと、上記ステップＳ８０１で取得された演出用乱数値に基づいて、１の変動演出パターンを決定する。・・・
　次に、ステップＳ８０４において、サブＣＰＵ１２１は、上記ステップＳ８０３で決定した
変動演出パターン（及び、予告演出の有無、種類）を画像制御基板１５０およびランプ制御基板１４０に伝送すべく、演出パターン指定コマンドを伝送データ格納領域にセットする。なお、演出パターン指定コマンドが画像制御基板１５０およびランプ制御基板１４０に送信されると、演出パターン指定コマンドに基づいて画像表示装置３１、演出用役物装置３２、演出用照明装置３３および音声出力装置３４が制御される。
　カ　「【０５４４】
　まず、当落分岐演出について簡単に説明する。
　図６３は、本実施形態に係る遊技機で行われる当落分岐演出を説明する図（その１）である。
　ここでは、例えば、当該変動が図３６、図３７の
変動演出パターン決定テーブルに示すリーチＢ（リーチＢ１あるいはＢ２）を伴う大当たりに当選していた場合
　リーチＡ（リーチＡ１、Ａ２）では、当落分岐演出が行われないものとする。
　
画像表示装置３１において
　所定時間が経過後、演出図柄３５は、左右図柄が揃った状態で停止し且つ中図柄が変動を継続するリーチ状態（ｃ）となる。
　その後
リーチ演出（ｄ）が行われ、演出ボタン８を用いた当落分岐演出が行われる
　【０５４５】
　当落分岐演出では、
演出ボタン８を操作する旨遊技者に指示する演出ボタン画像、時間インジケータ３８が表示され、時間の経過とともに（（ｅ）→（ｆ））、時間インジケータ３８が減っていく。
　
時間切れとなる前に演出ボタン８を遊技者が操作すると、大当たり判定結果を示唆するカットイン画像などが表示され
　・・・
　【０５４７】
　図６３、図６４に示すような
当落分岐演出を伴うリーチ演出において、本実施形態の遊技機では、当落分岐演出中（ｅ、ｆ）に特定の演出音（例えばＢＧＭ）を流さないようにしている
　ボタン演出（当落分岐演出）は、遊技者にとって大きな関心事項である変動結果の帰結を、ボタン操作に続くカットイン画像などで示唆するものであるが、その間のＢＧＭを無音とすることで、遊技者に緊張感を与え、遊技の興趣を高めることが出来る。
　【０５４８】
　図６５は、本実施形態の当落分岐演出における音声出力態様を示すタイミング図（その１）である。
　括弧内の番号は、演出音の音番号を示している。
　タイミングｔ１における変動開始とともに、ホストＣＰＵ１５１は、音声制御回路３００を制御して非リーチ中ＢＧＭ（１３）の出力を開始し、それに、ＢＧＭ（１３）とは異なる音声チャンネルを用いて演出図柄３５の変動音や停止音（５２）等を重ねて再生出力する。
　リーチ演出を開始するタイミングｔ２となると、ホストＣＰＵ１５１は、音声制御回路３００を制御して（演出音停止コマンド）、非リーチ中ＢＧＭ（１３）を停止し、同じ音声チャンネル、あるいは他の音声チャンネルを用いてリーチ中ＢＧＭ（１４）を再生出力する。
　所定期間経過後、
ボタン演出（当落分岐演出）を行うタイミングｔ３となると、ホストＣＰＵ１５１は、音声制御回路３００を制御して（演出音一時停止コマンド）、リーチ中ＢＧＭ（１４）を一時停止させる。
　【０５４９】
　・・・その後、
演出ボタン８の操作有効期間（タイミングｔ３からタイミングｔ５）内のタイミングｔ４で、遊技者によって演出ボタン８が操作されると、ホストＣＰＵ１５１は、他の音声チャンネルを制御して（演出音出力コマンド）、ボタン押下音（３１）を再生出力するとともに、停止していたＢＧＭの出力を同音声チャンネルで再開するように音声制御回路３００を制御する
　演出ボタン８の操作が、一時停止したＢＧＭの復帰条件となっている。
　演出ボタン８の操作によって復帰条件の満足されるまで、リーチ中ＢＧＭが停止される、と考えても良い。
　遊技の進行に伴って特定の音声（リーチ中ＢＧＭ）が出力されている場合に、所定の復帰条件（ボタン操作）が成立するまで、リーチ中ＢＧＭの出力を停止する。・・・」
　したがって、上記引用文献１には次の発明（以下、「引用発明」という。）が記載されていると認められる。
　引用発明
「ａ、ｂ　第１始動口１３又は第２始動口１４に遊技球が入球したことを契機として大当たりの抽選を行い、前記大当たりの抽選の抽選結果に対応する特別図柄を第１特別図柄表示装置２０又は第２特別図柄表示装置２１にて表示することで大当たりの抽選結果を報知し、特別図柄の種類に基づいて、ラウンド遊技回数および大入賞口の開放態様という大入賞口の作動態様を決定する主制御基板１１０
　を備え（【００２３】、【００２８】、【００２９】、【００３５】、【００３８】、【００８２】、【００９４】）、
ｃ、ｅ、ｈ　第１特別図柄表示装置２０又は第２特別図柄表示装置２１における特別図柄の変動表示中に、画像表示装置３１において抽選結果を遊技者に報知する演出図柄３５が変動表示され、画像表示装置３１における演出図柄３５の変動表示では、大当たりのときに必ずリーチを行うように構成されており（【００２３】、【００２８】、【００２９】、【０１１３】、【０３７５】）、
　主制御基板１１０は、変動パターン決定テーブルを用いて、特別図柄の変動開始時に特別図柄の変動パターンを決定し、決定された変動パターンに基づいて変動パターン指定コマンドが生成され、当該変動パターン指定コマンドは、主制御基板１１０から演出制御基板１２０へと送信され（【０１１２】、【０２２６】、【０２３２】）、
　演出制御基板１２０の受信バッファに、主制御基板１１０から送信された変動パターン指定コマンドが格納されると、サブＣＰＵ１２１が、特別図柄の変動表示中に抽選結果を遊技者に報知する演出図柄３５が変動表示される画像表示装置３１をはじめとする種々の演出用の装置をどのように制御するかを示す変動演出パターンを決定する変動演出パターン決定処理を実行し、サブＣＰＵ１２１は、決定した変動演出パターン及び、予告演出の有無、種類を指定する演出パターン指定コマンドを画像制御基板１５０およびランプ制御基板１４０に送信し、送信された演出パターン指定コマンドに基づいて画像制御基板１５０およびランプ制御基板１４０は、画像表示装置３１、演出用役物装置３２、演出用照明装置３３および音声出力装置３４の制御を行い（【０３７５】、【０３７６】）、
　リーチＢ（リーチＢ１あるいはＢ２）を伴う大当たりに当選している場合、リーチ演出中に演出ボタン８を用いた当落分岐演出が行われ、当落分岐演出では、画像表示装置３１において、演出ボタン８を操作する旨遊技者に指示する演出ボタン画像、時間インジケータ３８が表示され、時間の経過とともに時間インジケータ３８が減っていき、時間切れとなる前に演出ボタン８を遊技者が操作すると、大当たり判定結果を示唆するカットイン画像などが表示されるとともに、当落分岐演出中にＢＧＭを流さないように、リーチ演出が開始された所定期間経過後、当落分岐演出を行うタイミングｔ３となると、リーチ中ＢＧＭ１４を一時停止させるとともに、演出ボタン８の操作有効期間（タイミングｔ３からタイミングｔ５）内のタイミングｔ４で、遊技者によって演出ボタン８が操作されると、他の音声チャンネルを制御して、ボタン押下音３１を再生出力するとともに、停止していたＢＧＭの出力を同音声チャンネルで再開するように制御する（【００２６】、【０５４４】−【０５４９】）、
ｊ　遊技機１（【００２６】）。」
２．引用文献２について
　原査定の拒絶の理由に引用された上記引用文献２には、図面とともに次の事項が記載されている。
　「【００１８】
　以下、実施例に基づいて本発明を詳細に説明する。図１は、本実施例の
パチンコ機ＧＭ
　【００３４】
　また、中央開口ＨＯには、大型の液晶カラーディスプレイ（ＬＣＤ）で構成された表示装置ＤＳが配置されている。表示装置ＤＳは、大当り状態に係わる特定図柄を変動表示すると共に背景画像や各種のキャラクタなどをアニメーション的に表示する装置である。この表示装置ＤＳは、中央部に特別図柄表示部Ｄａ〜Ｄｃと右上部に普通図柄表示部１９とを有している。そして、特別図柄表示部Ｄａ〜Ｄｃでは、大当り状態の招来を期待させるリーチ演出が実行されることがあり、特別図柄表示部Ｄａ〜Ｄｃ及びその周りでは、適宜な
予告演出などが実行される。
　「【０３１１】
  次に、本実施例では、効果音チャンネルＳＥ、高度演出チャンネルＰＡＮ、及び、バーチャルチャンネルＶＳについては、配置チャンネルを可変設定するのに対して、
チャンスボタンの操作有効音
　・・・
　【０３１８】
　続いて、フレーズ再生チャンネルＣＨ２７で再生される操作有効音について説明する。ボタン操作の操作有効音は、所定タイミングで、ボタン演出用のメインシナリオ１（表２）が、シナリオ進行テーブルINFO_TBLの進行管理チャンネルＭＣＨｍに登録されたことに基づいて放音可能となる（図１４（ｄ）参照）。・・・
　【０３２０】
　特に限定されないが、メインシナリオ１は、２つのメインシナリオ１〜２で構成されている。具体的には、表２に示す通り、
表示装置にボタン画像が出現することに対応して発生する効果音１「ピューン！！」を特定するサブシナリオ１と、その後の操作有効期間を示して繰り返される効果音２「ピコン、ピコン、ピコン、・・・」を特定するサブシナリオ２とで構成されている。
　「【０３２５】
　ところで、上記の実施例に追加して、
予告演出について、画像演出や役物演出と連動した音声演出を実行するのも好適である。
　【０３２６】
　この実施例では、
予告演出の信頼度は、
予告演出画像が大型化して、背景画像面積が少ないほど、
信頼度が高まるよう構成され、信頼度の高さに対応して、ＢＧＭ音を小音化する
　図２２は、具体的な演出内容の一例を概略的に図示したものであり、背景画像と共に、背景画像に重ねて表示される予告演出を示している。なお、縦方向は、信頼度の違いを示しており、信頼度の低い予告演出１から、高信頼度の予告演出９が順番に縦方向に図示されている。また、横方向は、予告演出の発展型を示しており、もし予告演出が右側に移行すれば、その分だけ信頼度が向上するようになっている。
　・・・
　【０３２９】
　また、
予告演出２では、準備ＯＫ状態（ＳＴＥＰ１）から始まり、ＳＴＥＰ１からＳＴＥＰ２に発展すると、女子高生が振り向き（ＳＴＥＰ２）、更にＳＴＥＰ３に発展すると、もう一人の女子高生と出会う予告演出となっている。
　・・・
　【０３３２】
　次に、
予告演出３では、四隅から中央のキャラクタにフラッシュが放たれるが、背景画像が殆ど隠れるので、予告演出２よりＢＧＭ音の音量が低く制御される。
　したがって、上記引用文献２には、特別図柄表示部Ｄａ〜Ｄｃでは、大当り状態の招来を期待させるリーチ演出が実行されることがあるとともに、特別図柄表示部Ｄａ〜Ｄｃ及びその周りでは、適宜な予告演出が実行され、予告演出は、画像演出や役物演出と連動した音声演出を実行するものであり、
  チャンスボタンの操作有効音として、表示装置にボタン画像が出現することに対応して発生する効果音１「ピューン！！」、及び、その後の操作有効期間を示して繰り返される効果音２「ピコン、ピコン、ピコン、・・・」が放音可能であり、
　予告演出の信頼度は、予告演出画像が大型化して、背景画像面積が少ないほど信頼度が高まる一方、信頼度の高さに対応してＢＧＭ音を小音化するよう構成され、準備ＯＫ状態（ＳＴＥＰ１）から始まり、ＳＴＥＰ１からＳＴＥＰ２に発展すると、女子高生が振り向き（ＳＴＥＰ２）、更にＳＴＥＰ３に発展すると、もう一人の女子高生と出会う予告演出となっている予告演出２よりも、四隅から中央のキャラクタにフラッシュが放たれ背景画像が殆ど隠れる予告演出３の方が、信頼度が高くＢＧＭ音の音量が低く制御されるパチンコ機ＧＭ、という技術的事項が記載されていると認められる（以下、「引用文献２に記載の技術」という。）。
第５　対比・判断
１．本願発明２について
（１）対比
  第２　原査定の概要
　原査定（平成３０年９月１１日付け拒絶査定）は、上記第２に記載のとおり、本願請求項２に係る発明は、以下の引用文献１、２に基づいて、当業者が容易に発明できたものであるから、特許法第２９条第２項の規定により特許を受けることができないとするものであるから、まず、本願発明２について検討を行う。
　本願発明２と引用発明とを対比すると、次のことがいえる。
　ア　発明特定事項Ａについて
　引用発明の「主制御基板１１０」は、「第１始動口１３又は第２始動口１４に遊技球が入球したことを契機として大当たりの抽選を行」うことから、引用発明の「大当たりの抽選を行」うことは、本願発明２の「判定を行う」ことに相当し、同様に、引用発明の「主制御基板１１０」は、本願発明２の「判定手段」に相当する。
　よって、引用発明は、本願発明２の発明特定事項Ａに相当する構成を備えるといえる。　
　イ　発明特定事項Ｂについて
　引用発明の「主制御基板１１０」は、本願発明２の「特典付与手段」に相当する。
　引用発明の「特別図柄」は、「前記大当たりの抽選の抽選結果に対応する特別図柄を・・・表示することで大当たりの抽選結果を報知」するものであって、「特別図柄の種類に基づいて、ラウンド遊技回数および大入賞口の開放態様という大入賞口の作動態様を決定する」から、引用発明において、「前記大当たりの抽選の抽選結果」と「特別図柄の種類に基づいて」決定される「ラウンド遊技回数および大入賞口の開放態様という大入賞口の作動態様」とは対応しているものと認められる。そして、引用発明が、「大入賞口の作動態様を決定する」ことは、「遊技者に特典を付与しうる」ことにほかならないから、引用発明は、本願発明２の発明特定事項Ｂに相当する構成を備えるといえる。　
　ウ　発明特定事項Ｃについて
　引用発明は、「リーチＢ（リーチＢ１あるいはＢ２）を伴う大当たりに当選している場合、リーチ演出中に演出ボタン８を用いた当落分岐演出が行われ、当落分岐演出では、画像表示装置３１において、演出ボタン８を操作する旨遊技者に指示する演出ボタン画像、時間インジケータ３８が表示され、時間の経過とともに時間インジケータ３８が減っていき、・・・当落分岐演出中にＢＧＭを流さないように、リーチ演出が開始された所定期間経過後、当落分岐演出を行うタイミングｔ３となると、リーチ中ＢＧＭ１４を一時停止させる・・・ように制御する」 から、引用発明の「演出ボタン８を操作する」ことは、本願発明２の「演出受付」に相当し、同様に、引用発明の「画像表示装置３１において」「演出ボタン８を操作する旨遊技者に指示する演出ボタン画像、時間インジケータ３８が表示され、時間の経過とともに時間インジケータ３８が減ってい」くこと、及び、「当落分岐演出中にＢＧＭを流さないように」「当落分岐演出を行うタイミングｔ３となると、リーチ中ＢＧＭ１４を一時停止させる」「ように制御する」ことは、本願発明２の「演出受付が許容される受付演出」に相当する。
　また、引用発明の「当落分岐演出」は、「リーチ演出中」に行われる「予告演出」であって、「画像表示装置３１において」「演出ボタン８を操作する旨遊技者に指示する演出ボタン画像、時間インジケータ３８が表示され、時間の経過とともに時間インジケータ３８が減ってい」く演出を含むことから、その制御は、「サブＣＰＵ１２１が、特別図柄の変動表示中に抽選結果を遊技者に報知する演出図柄３５が変動表示される画像表示装置３１をはじめとする種々の演出用の装置をどのように制御するかを示す変動演出パターンを決定する変動演出パターン決定処理を実行し、サブＣＰＵ１２１は、決定した変動演出パターン及び、予告演出の有無、種類を指定する演出パターン指定コマンドを画像制御基板１５０およびランプ制御基板１４０に送信し、送信された演出パターン指定コマンドに基づいて画像制御基板１５０およびランプ制御基板１４０は、画像表示装置３１、演出用役物装置３２、演出用照明装置３３および音声出力装置３４の制御を行」うことで実行されているものといえる。したがって、引用発明の「画像制御基板１５０およびランプ制御基板１４０」は、本願発明２の「受付演出実行手段」に相当する。
　よって、引用発明は、本願発明２の発明特定事項Ｃに相当する構成を備えるといえる。　
　エ　発明特定事項Ｅについて
　引用発明は、「当落分岐演出中にＢＧＭを流さない」ようにしており、「リーチ演出が開始された所定期間経過後、当落分岐演出を行うタイミングｔ３となると、リーチ中ＢＧＭ１４を一時停止させるとともに、演出ボタン８の操作有効期間（タイミングｔ３からタイミングｔ５）内のタイミングｔ４で、遊技者によって演出ボタン８が操作されると、他の音声チャンネルを制御して、ボタン押下音３１を再生出力するとともに、停止していたＢＧＭの出力を同音声チャンネルで再開するように制御する」から、リーチ演出中にＢＧＭを流さない期間は、「当落分岐演出を行うタイミングｔ３」から「演出ボタン８の操作有効期間（タイミングｔ３からタイミングｔ５）内のタイミングｔ４で、遊技者によって演出ボタン８が操作される」までの期間である。
　そして、引用発明の「当落分岐演出」において、「演出ボタン８を操作する旨遊技者に指示する演出ボタン画像、時間インジケータ３８が表示され、時間の経過とともに時間インジケータ３８が減ってい」くという本願発明２の「演出受付が許容される受付演出」に相当する演出が実行されるので（上記ウ参照）、引用発明の「当落分岐演出」中に「ＢＧＭを流さない」こと、又は、「リーチ中ＢＧＭ１４を一時停止させる」ことは、本願発明２の「ＢＧＭが非抑制態様で可聴出力されなくなる抑制受付演出」を実行することに相当するから、引用発明は、「受付演出に関連してＢＧＭが非抑制態様で可聴出力されなくなる抑制受付演出として実行されうる」という点で、本願発明２の発明特定事項Ｅと共通する。
　オ　発明特定事項Ｈについて
　上記エのとおり、引用発明において、リーチ演出中にＢＧＭを流さない期間は、「当落分岐演出を行うタイミングｔ３」から「演出ボタン８の操作有効期間（タイミングｔ３からタイミングｔ５）内のタイミングｔ４で、遊技者によって演出ボタン８が操作される」までの期間であるから、引用発明は、本願発明２の「非抑制態様で可聴出力されているＢＧＭが」「可聴出力されない状態になってから演出受付が許容されうるもの」に相当する構成を備えるといえる。
　また、上記ウのとおり、引用発明の「演出ボタン８を操作する旨遊技者に指示する演出ボタン画像、時間インジケータ３８が表示され、時間の経過とともに時間インジケータ３８が減ってい」くことは、本願発明２の「演出受付が許容される受付演出」に相当するから、引用発明は、「当該第３の受付演出では、演出受付が許容される状態になったこと、または演出受付が許容される状態になることを示唆するようになって」いるという点で、本願発明２の発明特定事項Ｈと共通する。
　カ　発明特定事項Ｊについて
　引用発明の「遊技機１」は、本願発明２の「遊技機」に相当する。
（２）一致点・相違点
　上記（１）アないしカより、本願発明２と引用発明との間には、次の一致点、相違点があるといえる。
（一致点）
「Ａ　判定を行う判定手段と、
Ｂ　前記判定手段による判定にて所定の結果が得られたことに基づいて遊技者に特典を付与しうる特典付与手段と、
Ｃ　演出受付が許容される受付演出を発生させる受付演出実行手段と
　を備え、
Ｅ’　受付演出に関連してＢＧＭが非抑制態様で可聴出力されなくなる抑制受付演出として実行されうるようになっており、
Ｈ’　前記第３の受付演出は、
　非抑制態様で可聴出力されているＢＧＭが可聴出力されない状態になってから演出受付が許容されうるものであり、当該第３の受付演出では、演出受付が許容される状態になったこと、または演出受付が許容される状態になることを示唆するようになっている、
Ｊ　ことを特徴とする遊技機。」
（相違点）
　ア　相違点１（発明特定事項Ｄ）
　本願発明２は、「前記受付演出として、少なくとも第１の受付演出、第２の受付演出、及び第３の受付演出が用意されて」いるのに対し、引用発明はそのような構成を備えていない点。
　イ　相違点２（発明特定事項Ｅ）
　本願発明２は、「前記第１の受付演出、前記第２の受付演出、及び前記第３の受付演出のうち、前記第２の受付演出及び前記第３の受付演出では、それら受付演出に関連してＢＧＭが非抑制態様で可聴出力されなくなる抑制受付演出として実行されうるようになって」いるのに対し、引用発明は、「当落分岐演出」中に、「ＢＧＭを流さない」こと、又は、「リーチ中ＢＧＭ１４を一時停止させる」ことはあるものの、上記アで相違点１として挙げたとおり、引用発明は、 「第１の受付演出」、「第２の受付演出」及び「第３の受付演出」が用意されるものではなく、かつ、それら３つの受付演出のうち、特定の受付演出（「前記第２の受付演出及び前記第３の受付演出」）に関連して「ＢＧＭが非抑制態様で可聴出力されなくなる抑制受付演出として実行されうるようになって」いるものではない点。
　ウ　相違点３（発明特定事項Ｆ）
　本願発明２は、「前記第１の受付演出は、
　ＢＧＭが非抑制態様で可聴出力されているなかで発生されうるものであり、当該第１の受付演出では、演出受付が許容される状態になったこと、または演出受付が許容される状態になることを示唆する受付許容音が非抑制態様で可聴出力されうるようになって」いるのに対し、引用発明はそのような構成を備えていない点。
　エ　相違点４（発明特定事項Ｇ−２）
　本願発明２は、「前記第２の受付演出は、
　非抑制態様で可聴出力されているＢＧＭが第１抑制態様で可聴出力される状態になってから演出受付が許容されうるものであり、当該第２の受付演出では、演出受付が許容される状態になったこと、または演出受付が許容される状態になることを示唆する受付許容音が非抑制態様で可聴出力されうるようになって」いるのに対し、引用発明はそのような構成を備えていない点。
　オ　相違点５（発明特定事項Ｈ）
　本願発明２は、「前記第３の受付演出は、
　非抑制態様で可聴出力されているＢＧＭが前記第１抑制態様よりも抑制度合いの高い第２抑制態様で可聴出力される状態または可聴出力されない状態になってから演出受付が許容されうるものであり、当該第３の受付演出では、演出受付が許容される状態になったこと、または演出受付が許容される状態になることを示唆する受付許容音が非抑制態様で可聴出力されうるようになって」いるのに対し、引用発明において、リーチ演出中にＢＧＭを流さない期間は、「当落分岐演出を行うタイミングｔ３」から「演出ボタン８の操作有効期間（タイミングｔ３からタイミングｔ５）内のタイミングｔ４で、遊技者によって演出ボタン８が操作される」までの期間であって、当該期間に、「演出ボタン８を操作する旨遊技者に指示する演出ボタン画像、時間インジケータ３８が表示され、時間の経過とともに時間インジケータ３８が減ってい」く演出を行うものであるが、「第３の受付演出」において、「受付許容音が非抑制態様で可聴出力されうるようになって」いるという構成を備えるものではない点。
　カ　相違点６（発明特定事項Ｉ）
　本願発明２は、「前記第１の受付演出及び前記第２の受付演出では、前記受付許容音として同じ種別の受付許容音が可聴出力されうるようになっており、前記第３の受付演出では、前記第１の受付演出及び前記第２の受付演出のいずれにおいても用いられない種別の受付許容音が可聴出力されうる」のに対し、引用発明はそのような構成を備えていない点。
（３）相違点についての判断
　当審が認定した引用発明は、「当落分岐演出中にＢＧＭを流さないように、リーチ演出が開始された所定期間経過後、当落分岐演出を行うタイミングｔ３となると、リーチ中ＢＧＭ１４を一時停止させるとともに、演出ボタン８の操作有効期間（タイミングｔ３からタイミングｔ５）内のタイミングｔ４で、遊技者によって演出ボタン８が操作されると、他の音声チャンネルを制御して、ボタン押下音３１を再生出力するとともに、停止していたＢＧＭの出力を同音声チャンネルで再開するように制御する」こと、すなわち、演出ボタン８の操作有効期間に、「特定の音声」であるリーチ中ＢＧＭ１４を一時停止させることを要点のひとつとしている。　
　そこで、演出ボタン８の操作有効期間にリーチ中ＢＧＭ１４を一時停止させる引用発明を出発点として、相違点３（「ＢＧＭが非抑制態様で可聴出力されているなかで発生されうる」「第１の受付演出」（発明特定事項Ｆ） ）及び相違点４（「非抑制態様で可聴出力されているＢＧＭが第１抑制態様で可聴出力される状態になってから演出受付が許容されうる」「第２の受付演出」（発明特定事項Ｇ−２））に相当する構成を採用することが当業者が容易に想到し得るかどうかについてまず検討する。
　次に、引用文献２に記載の技術は、「チャンスボタンの操作有効音として、表示装置にボタン画像が出現することに対応して発生する効果音１「ピューン！！」、及び、その後の操作有効期間を示して繰り返される効果音２「ピコン、ピコン、ピコン、・・・」が放音可能」としているから、本願発明２の「受付許容音」に関わる相違点である相違点５（発明特定事項Ｈ）乃至相違点６（発明特定事項Ｉ）について検討する。
　ア　相違点３（発明特定事項Ｆ）及び相違点４（発明特定事項Ｇ−２）について（本願発明２における「第１の受付演出」及び「第２の受付演出」について）
　引用文献２に記載の技術は、「予告演出の信頼度は、予告演出画像が大型化して、背景画像面積が少ないほど信頼度が高まる一方、信頼度の高さに対応してＢＧＭ音を小音化するよう構成され、準備ＯＫ状態（ＳＴＥＰ１）から始まり、ＳＴＥＰ１からＳＴＥＰ２に発展すると、女子高生が振り向き（ＳＴＥＰ２）、更にＳＴＥＰ３に発展すると、もう一人の女子高生と出会う予告演出となっている予告演出２よりも、四隅から中央のキャラクタにフラッシュが放たれ背景画像が殆ど隠れる予告演出３の方が、信頼度が高くＢＧＭ音の音量が低く制御される」ものであるから、「予告演出の信頼度」の高さに対応して、「ＢＧＭ音を小音化する」程度が複数の段階で設けられる技術が示されているといえる。
　そうすると、引用文献２記載の技術において、「予告演出の信頼度」が低く、「ＢＧＭ音を小音化する」程度が小さい音量は、本願発明２のＢＧＭが「第１抑制態様で可聴出力される状態」（発明特定事項Ｇ−２）に相当し、引用文献２記載の技術において、「予告演出の信頼度」が高く、「ＢＧＭ音を小音化する」程度が大きい音量は、本願発明２のＢＧＭが「前記第１抑制態様よりも抑制度合いの高い第２抑制態様で可聴出力される状態」（発明特定事項Ｈ）に相当する。
　ここで、上記のように、引用発明は、演出ボタン８の操作有効期間に、「特定の音声」であるリーチ中ＢＧＭ１４を一時停止させることを要点のひとつとしている。
　さらに、引用文献１には、リーチ中ＢＧＭ１４を一時停止させることについて、
　「【０５４７】
　図６３、図６４に示すような当落分岐演出を伴うリーチ演出において、本実施形態の遊技機では、当落分岐演出中（ｅ、ｆ）に特定の演出音（例えばＢＧＭ）を流さないようにしている。
　ボタン演出（当落分岐演出）は、遊技者にとって大きな関心事項である変動結果の帰結を、ボタン操作に続くカットイン画像などで示唆するものであるが、その間のＢＧＭを無音とすることで、遊技者に緊張感を与え、遊技の興趣を高めることが出来る。」と記載されることから、引用発明は、演出ボタン８の操作有効期間に、リーチ中ＢＧＭ１４を一時停止させて無音とすることにより、「遊技者に緊張感を与え、遊技の興趣を高める」ことを意図しているといえる。
　それゆえ、当該演出ボタン８の操作有効期間に「リーチ中ＢＧＭ１４を一時停止させ」ている引用発明に対し、引用文献２に記載の技術を適用して、 「予告演出の信頼度」が低く、「ＢＧＭ音を小音化する」程度が小さい音量（本願発明２のＢＧＭが「第１抑制態様で可聴出力される状態」（発明特定事項Ｇ−２）に相当。）のＢＧＭを流すことは、引用発明が意図するところのＢＧＭを無音の状態とすることに反することとなるので、引用発明に引用文献２記載の技術を適用することを阻害する事情があるといわざるをえない。
　ましてや、引用発明の当該演出ボタン８の操作有効期間が、「ＢＧＭが非抑制態様で可聴出力されているなかで発生されうる」ようにすること（発明特定事項Ｆ）、すなわち、演出ボタンの操作有効期間が通常の音量のＢＧＭが流れている状態で開始されるようにすることは、それ自体がパチンコ遊技機の分野における周知技術であるとしても、当該演出ボタン８の操作有効期間に「リーチ中ＢＧＭ１４を一時停止させ」ている引用発明に対し、あえて、引用発明が機能しなくなる周知技術を適用することを当業者は通常考えないので、その適用を阻害する事情があるといえる。
　したがって、当業者といえども、引用発明及び引用文献２に記載の技術から、相違点３に係る本願発明２の「前記第１の受付演出は、
　ＢＧＭが非抑制態様で可聴出力されているなかで発生されうるものであ」る（発明特定事項Ｆ）という構成、及び、相違点４に係る本願発明２の「前記第２の受付演出は、
　非抑制態様で可聴出力されているＢＧＭが第１抑制態様で可聴出力される状態になってから演出受付が許容されうるものであ」る（発明特定事項Ｇ−２）という構成を容易に想到することはできない。
　イ　相違点５（発明特定事項Ｈ）及び相違点６（発明特定事項Ｉ）について（本願発明２の「受付許容音」について）
　引用文献２に記載の技術の「表示装置にボタン画像が出現することに対応して発生する効果音１「ピューン！！」」が「放音可能」であることは、本願発明２の「演出受付が許容される状態になることを示唆する受付許容音が非抑制態様で可聴出力されうる」ことに相当し、同様に、引用文献２に記載の技術の「操作有効期間を示して繰り返される効果音２「ピコン、ピコン、ピコン、・・・」」が「放音可能」であることは、本願発明２の「演出受付が許容される状態になったこと」「を示唆する受付許容音が非抑制態様で可聴出力されうる」ことに相当する。
　引用発明は、上記のとおり、演出ボタン８の操作有効期間に、「特定の音声」であるリーチ中ＢＧＭ１４を一時停止させることを要点のひとつとしているが、当該演出ボタン８の操作有効期間に、ＢＧＭ以外の音声まで無音の状態とすることを意図しているとまではいえない。したがって、「当落分岐演出」中に、「リーチ中ＢＧＭ１４を一時停止させる」演出（本願発明２の「第３の受付演出」及び「ＢＧＭが非抑制態様で可聴出力されなくなる抑制受付演出」に相当。）を実行する引用発明において、「演出ボタン８を操作する旨遊技者に指示する演出ボタン画像、時間インジケータ３８が表示され、時間の経過とともに時間インジケータ３８が減ってい」くという演出（引用発明の発明特定事項ｃ）を実行する際、引用文献２に記載の技術を適用することによって、上記相違点５に係る本願発明２の構成とすることは、当業者が容易に想到し得たことである。
　しかし、相違点６（発明特定事項Ｉ）について、上記アで検討したとおり、当業者といえども、引用発明及び引用文献２に記載の技術から、「受付演出」中に、「リーチ中ＢＧＭ１４を一時停止させる」演出（本願発明２の「第３の受付演出」に相当。）のほかに、リーチ中ＢＧＭの音量を通常のものとする「第１の受付演出」（発明特定事項Ｆ）、及び、リーチ中ＢＧＭの音量をやや抑える「第２の受付演出」（発明特定事項Ｇ）を備えるようにすることを容易に想到することができないから、ＢＧＭの音量が異なる３つの種類の「第１の受付演出」、「第２の受付演出」及び「第３の受付演出」を用意するという本願発明２の前提を欠いている。そのうえ、「受付演出」中に、音量が異なるＢＧＭが可聴出力されている場合（「第１の受付演出」及び「第２の受付演出」）とＢＧＭが可聴出力されていない場合（「第３の受付演出」）とで、「可聴出力」される「受付許容音」の「種別」を異ならせることは、引用文献１及び引用文献２のいずれにも記載も示唆もなく、本願発明２の、「前記第１の受付演出及び前記第２の受付演出では、前記受付許容音として同じ種別の受付許容音が可聴出力されうるようになっており、前記第３の受付演出では、前記第１の受付演出及び前記第２の受付演出のいずれにおいても用いられない種別の受付許容音が可聴出力されうる」（発明特定事項Ｉ）という構成は、引用発明及び引用文献２に記載の技術から、当業者が容易に想到し得るものとはいえない。
　したがって、上記相違点６に係る本願発明２の構成を、当業者が容易に想到することはできない。
（４）本願発明２についての結論
　上記（３）ア、イより、少なくとも、相違点３（発明特定事項Ｆ）、相違点４（発明特定事項Ｇ−２）、相違点６（発明特定事項Ｉ）に係る本願発明２の構成は、引用発明及び引用文献２に記載の技術から、当業者が容易に想到し得るものとはいえない。
　したがって、他の相違点について検討するまでもなく、本願発明２は、当業者であっても、引用発明及び引用文献２に記載された技術的事項に基づいて容易に発明できたものとはいえない。
２．本願発明１について
　本願発明１は、本願発明２と比べると、発明特定事項Ｇ−２に替えて発明特定事項Ｇ−１を有しているほか、その余の発明特定事項は一致している。
　ここで、本願発明１は、本願発明２の「前記第１の受付演出は、
　ＢＧＭが非抑制態様で可聴出力されているなかで発生されうるものであり、当該第１の受付演出では、演出受付が許容される状態になったこと、または演出受付が許容される状態になることを示唆する受付許容音が非抑制態様で可聴出力されうるようになっており」（発明特定事項Ｆ）、
及び、
　「前記第１の受付演出及び前記第２の受付演出では、前記受付許容音として同じ種別の受付許容音が可聴出力されうるようになっており、前記第３の受付演出では、前記第１の受付演出及び前記第２の受付演出のいずれにおいても用いられない種別の受付許容音が可聴出力されうる」（発明特定事項Ｉ）という同一の構成を備えるものである。そして、当該同一の構成である発明特定事項Ｆ及び発明特定事項Ｉを含む本願発明２が、引用発明及び引用文献２に記載の技術から当業者が容易に想到し得るものとはいえないことは、上記１．（４）に示したとおりであるから、本願発明２と同様に、本願発明１は、当業者であっても、引用発明及び引用文献２に記載された技術に基づいて容易に発明できたものとはいえない。
第５　むすび
　以上のとおり、本願発明１、２は、当業者が引用発明及び引用文献２に記載された技術に基づいて容易に発明をすることができたものではない。したがって、原査定の理由によっては、本願を拒絶することはできない。
　また、他に本願を拒絶すべき理由を発見しない。
　よって、結論のとおり審決する。